(57)【要約】【課題】　記憶層を効率的にかつ正確に読み出すことができるように、記憶層に記憶された情報を読み出すための装置と方法を改良する。【解決手段】　本発明は、記憶層１２から放出された放出ビームを受け取るためのレシーバー１４を使用して、記憶層に記憶された情報を読み出すための装置と方法に関する。記憶層１２は支持面１６に支持され、ｘ方向におけるレシーバと記憶層の間で相対運動が生じる。レシーバまたは記憶層は相対運動の発生中に案内手段２０ａ，２０ｂによって、案内面１１ａ，１１ｂ，１６上で案内される。第１の部分ガイドによって、ｚ方向の間隔が支持面１６の一方の側で調節され、第２の部分ガイドによってｚ方向の間隔が支持面の他方の側で調節される。案内面が記憶層から独立しており、第１の部分ガイド３０ａ，３０ｃと第２の部分ガイド３０ｂ，３０ｄが互いに連結され、相互に方に付勢され、そして支持面１６にペンチ状に作用する。【選択図】　　　図１
2004086201.tif 000002
【特許請求の範囲】
【請求項１】
　記憶層（１２）から放出された放出ビームを受け取るためのレシーバ（１４）と、記憶層（１２）を支持するための支持面（１６）とを備え、この場合支持面（１６）によってｘ−ｙ平面が定められ、更に、ｘ方向におけるレシーバ（１４）と記憶層（１２）の相対運動の発生中、レシーバ（１４）または記憶層（１２）を案内面（１１ａ，１１ｂ，１６）上で案内するための案内手段（２０ａ，２０ｂ）を備え、この場合案内手段（２０ａ，２０ｂ）が案内面（１１ａ，１１ｂ，１６）と案内手段（２０ａ，２０ｂ）の間でｘ−ｙ平面に対して垂直なｚ方向の間隔を得るための第１の部分ガイド（３０ａ，３０ｃ）と、ｚ方向に間隔を得るための第２の部分ガイド（３０ｂ，３０ｄ）を備え、第１の部分ガイド（３０ａ，３０ｃ）がｚ方向に見て支持面（１６）の一方の側に配置され、第２の部分ガイド（３０ｂ，３０ｄ）がｚ方向に見て支持面（１６）の他方の側に配置されている、記憶層（１２）に記憶された情報を読み出すための装置（１０）において、
　案内面（１１ａ，１１ｂ，１６）が記憶層（１２）から独立しており、第１の部分ガイド（３０ａ，３０ｃ）と第２の部分ガイド（３０ｂ，３０ｄ）が互いに連結され、かつ支持面（１６）にペンチ状に作用するように相互の方に付勢されていることを特徴とする装置。
【請求項２】
　ｚ方向における案内面（１１ａ，１１ｂ，１６）のレベルがｚ方向における支持面（１６）のレベルに一致し、案内面（１１ａ，１１ｂ，１６）がｙ方向において支持面（１６）の両側に配置された２つの部分案内面（１１ａ，１１ｂ）を備えていることを特徴とする請求項１記載の装置。
【請求項３】
　部分案内面（１１ａ，１１ｂ）が支持面（１６）に連結されていることを特徴とする請求項２記載の装置。
【請求項４】
　部分案内面（１１ａ，１１ｂ）が支持面（１６）に一体的に連結されていることを特徴とする請求項３記載の装置。
【請求項５】
　案内面（１１ａ，１１ｂ，１６）がガラス表面を備えていることを特徴とする請求項１〜４のいずれか一つに記載の装置。
【請求項６】
　案内手段（２０ａ，２０ｂ）がレシーバ（１４）を支承するための軸受（２０）を備えていることを特徴とする請求項１〜５のいずれか一つに記載の装置。
【請求項７】
　第１の部分ガイド（３０ａ，３０ｃ）と第２の部分ガイド（３０ｂ，３０ｄ）が少なくとも１個のばね（５１ｂ）によって相互の方に付勢されていることを特徴とする請求項１〜６のいずれか一つに記載の装置。
【請求項８】
　第１の部分ガイド（３０ａ，３０ｃ）と第２の部分ガイド（３０ｂ，３０ｄ）がｘ方向に延びる回転軸（５３ａ，５３ｂ）を介して互いに連結されていることを特徴とする請求項１〜７のいずれか一つに記載の装置。
【請求項９】
　第１の部分ガイド（３０ａ，３０ｃ）と第２の部分ガイド（３０ｂ，３０ｄ）がそれぞれ少なくとも１個の空気軸受（３６）を備えていることを特徴とする請求項１〜８のいずれか一つに記載の装置。
【請求項１０】
　少なくとも１個の空気軸受（３６）が点状の連結部（４０，４２）を介してレシーバ（１４）に連結されていることを特徴とする請求項９記載の装置。
【請求項１１】
　第１の部分ガイド（３０ａ，３０ｃ）または第２の部分ガイド（３０ｂ，３０ｄ）がｘ方向に並べて配置された少なくとも２個の下側部分ガイド（３０ａ１，３０ａ２）を備えていることを特徴とする請求項１〜１０のいずれか一つに記載の装置。
【請求項１２】
　第１の部分ガイド（３０ａ，３０ｃ）と第２の部分ガイド（３０ｂ，３０ｄ）がそれぞれ、ｙ方向に見て支持面（１６）の両側に設けられていることを特徴とする請求項１〜１１のいずれか一つに記載の装置。
【請求項１３】
　ｙ方向において間隔を得るための第３の部分ガイド（３４ａ）と、ｙ方向において間隔を得るための第４の部分ガイド（３４ｂ）が設けられ、第３の部分ガイドがｙ方向に見て支持面（１６）の一方の側に配置され、第４の部分ガイドがｙ方向に見て支持面（１６）の他方の側に配置されていることを特徴とする請求項１〜１２のいずれか一つに記載の装置。
【請求項１４】
　第３の部分ガイド（３４ａ）と第４の部分ガイド（３４ｂ）が互いに連結され、かつ支持面（１６）にペンチ状に作用するように相互の方に付勢されていることを特徴とする請求項１３記載の装置。
【請求項１５】
　記憶層（１２）から放出された放出ビームを受け取るためのレシーバ（１４）を使用して、記憶層（１２）に記憶された情報を読み出すための方法であって、記憶層（１２）が支持面（１６）上にあり、この支持面によってｘ−ｙ平面が定められ、次のステップ
ａ）　記憶層（１２）から放出された放出ビームを受け取るステップ、　　　　　　　　ｂ）　ｘ方向にレシーバ（１４）と記憶層（１２）を相対運動させるステップ、　　　　ｃ）　相対運動の発生中、案内手段（２０ａ，２０ｂ）を用いて、案内面（１１ａ，１１　　ｂ，１６）上でレシーバ（１４）または記憶層（１２）を案内し、第１の部分ガイド　　によって、ｘ−ｙ平面に対して垂直なｚ方向の間隔が、ｚ方向に見て支持面（１６）　　の一方の側で調節され、第２の部分ガイドを用いて、ｚ方向の間隔がｚ方向に見て支　　持面（１６）の他方の側で調節されるステップ
を有する上記方法において、
　案内面（１１ａ，１１ｂ，１６）が記憶層（１２）から独立しており、第１の部分ガイド（３０ａ，３０ｃ）と第２の部分ガイド（３０ｂ，３０ｄ）が互いに連結され、相互の方に付勢され、そしてかつ支持面（１６）にペンチ状に作用することを特徴とする方法。
【発明の詳細な説明】
【技術分野】
【０００１】
　本発明は、請求項１の前提部分と請求項１５の前提部分に記載した、記憶層に記憶された情報を読み出すための装置と方法に関する。
【背景技術】
【０００２】
　このような装置とこのような方法は例えば特許文献１によって知られている。この文献は、レシーバが記憶層に支持された上側の空気軸受を介して記憶層と相対的に支承されている装置を示している。下側の空気軸受は透明な支持材料とビーム源の間に配置されている。この支持材料上に記憶層が配置されている。下側の空気軸受は台に一体化されている。この台は透明な支持材料とその上に取付けられた記憶層を案内する働きをする。それによって、記憶層は読み出しのためにビーム源とレシーバに沿って移動可能である。記憶層の上方に配置された空気軸受の空隙は、力の釣合いによって形成され、一方では空気によって発生した、レシーバの方向の押圧力と、他方ではレシーバによって記憶層の方向に作用する重力によって形成される。ばねを使用することが提案されている。このばねは外周エッジ、例えばレシーバのケーシングに固定され、そしてそれによって加えられる力が記憶層の方向に作用して、空隙内の空気層に対する押圧力を増大させるように配置されている。
【特許文献１】欧州特許出願公開第１０８１５０７号公報
【発明の開示】
【０００３】
　本発明の根底をなす課題は、記憶層を効率的にかつ正確に読み出すことができるように、冒頭に述べた種類の装置と方法を改良することである。
【０００４】
　この課題は、請求項１記載の特徴を有する装置と、請求項１５記載の特徴を有する方法によって解決される。
【０００５】
　本発明は、技術水準と異なり、案内手段の第１と第２の部分ガイドが、基準表面にペンチ状に作用するように互いに連結されていると、記憶層とレシーバの間隔をきわめて精密に維持することができるという認識に基づいている。すなわち、本発明では、第１と第２の部分ガイドが互いに独立していないで、一緒に言わばペンチを形成する。それによって特に記憶層または記憶層を取付け可能な支持材料を含めた記憶層の厚さの変化またはその他の凹凸が、記憶された情報を読み出すために最適に考慮される。記憶層とレシーバの間の均一で、一定で非常に小さな間隔がきわめて有利に得られる。
【０００６】
　更に、案内手段は好ましくは、例えば燐によって形成可能な記憶層の表面を案内されない。記憶層は実際には、案内面としてあまり適していない。これは特に、案内時に要求される極端な滑らかさに関連して、記憶層の表面が粗さを有することに起因する。これを理解するためには、間隔が特に１〜４μｍであると有利であることを判っていなければなない。この場合既に、２μｍの間隔でも混合摩擦を生じ得る。すなわち案内手段が擦る。記憶層ではない案内表面を使用する際、この案内面は例えばガラスによってきわめて滑らかに形成可能である。それによって、レシーバを支持するために、空気軸受を問題なく使用することができる。この空気軸受は他の利点を生じる。案内面として、少なくとも読み出し中記憶層を支持する支持面自体、特に送り方向に見て支持面のエッジ範囲あるいは少なくとも相対運動を行う間レシーバまたは記憶層を案内する案内レールが考慮される。その際、この案内レールは記憶層のための支持面の延長形状に正確に適合する。それによって、案内時にきわめて良好な精度が生じる。
【０００７】
　本発明の特に有利な実施形では、記憶層を読み出す際にレシーバまたは記憶層を案内するための案内面として、支持面の平面に対して垂直な方向における案内面のレベルが、支持面の平面に対して垂直な方向における記録層用支持面のレベルにできるだけ一致している。これは送り方向（ｘ方向）における案内面の延長形状全体について当てはまるという利点がある。従って、記憶層を読み出す際のレシーバまたは記憶層の延長形状は、少なくとも支持面の平面に対して垂直なこの方向に見て、支持面の平面に対して垂直方向における支持面に載っている記憶層の延長形状に正確に一致している。それによって、記憶層の延長形状全体にわたって同じである、レシーバと記憶層の間隔、ひいては良好な像鮮鋭度が保証されるという利点がある。支持面の両側に配置された２つの（部分）案内面が設けられていると有利である。それによって、案内をきわめて正確に行うことができる。
【０００８】
　特に有利な実施形では、２つの案内面が支持面に直接、特に一体的に連結されている。それによって、延長形状の一致が技術的に簡単な方法で実現可能であり、特に良好な一致が達成可能である。
【０００９】
　案内手段がレシーバを支承するための軸受を備えていると有利である。この軸受は特に空気軸受として形成されている。この空気軸受は、装置の運転中軸受と案内面の間に空隙が形成されるように配置されている。本発明による装置は例えばデジタル式Ｘ線スキャナとして使用される。このＸ線スキャナは読み出し中に記憶層を読み出す速度の不変性に関してきわめて高度な要求がなされる。一般的に使用される滑り軸受の場合、完全に防止できない摩擦作用に基づいて、均一な運動が乱される。すべての種類のころがり軸受も無効である。
【００１０】
　第１と第２の部分ガイドが少なくとも１個のばねによって相互の方に付勢されていると有利である。それによって、案内手段が作動していないとき、特に空気軸受の使用時に、レシーバが基準面に固定連結される。なぜなら、そのとき、ばねによって発生した力に対する、空気圧によって生じる反力が（まだ）加えられないからである。それによって、例えば搬送の際または不注意の接触の際に、例えば非常に敏感な電子機器の損傷が防止される。更に、運転中発生する空気圧に対する反力がきわめて簡単に保証される。
【００１１】
　第１と第２の部分ガイドがｘ方向に延びる回転軸によって互いに連結されている。これは、第１と第２の部分ガイドの本発明による連結を低コストでおよび簡単に実現する。
【００１２】
　少なくとも１個の空気軸受が点状の連結部を介してレシーバに連結されていることにより、空気軸受の自己調節が可能であるという利点がある。それによって、技術的にきわめて簡単で効果的な方法で摩擦を防止することができる。
【００１３】
　本発明の他の有利な実施形では、第１および／または第２の部分ガイドがｘ方向に並べて配置された少なくとも２個の下側部分ガイドを備えている。それによって、送り方向における案内手段の傾動が効果的にかつきわめて正確に防止される。
【００１４】
　ｙ方向に見て２個の部分ガイドが設けられていると有利である。この部分ガイドによって、案内面と案内手段の間のｙ方向の間隔を調節することができる。この両部分ガイドは特に同様に相互連結され、支持面にペンチ状に作用するように相互の方に付勢されている。それによって、ｙ方向においてもレシーバまたは記憶層のきわめて正確な案内が達成可能である。
【００１５】
他の有利な実施形は従属請求項から明らかである。
【発明を実施するための最良の形態】
【００１６】
　次に、図を参照して本発明の実施の形態を説明する。
【００１７】
　図１には、情報を読み出すための本発明による装置としての、Ｘ線用のデジタルスキャナ１０を示している。この情報は、支持面１６上に配置された記憶層１２に記憶されている。支持面１６はｘ−ｙ平面を形成している。ｚ方向はこのｘ−ｙ平面に対して垂直である。スキャナ１０は走査ヘッド１４を備えている。この走査ヘッド内には、記憶層１２から放出される放出ビーム（放射線）を受け取るためのレシーバ（受信装置）が配置されている。レシーバは手前に接続配置された結像光学系を備えたＣＣＤセルを含んでいてもよい。励起ビームを放出するためのビーム源は同様に走査ヘッド１４内に配置されているかあるいは透過光型スキャナの場合には支持面１６の下方に配置されている。ビーム源は並べて配置された多数の半導体レーザを備えていてもよい。この半導体レーザのビームは光学系を経て記憶層１２に案内される。この場合、記憶層１２の１つのラインが励起可能である。走査ヘッド１４は第１と第２の調節ユニット１８ａ，１８ｂを介して第１と第２の軸受装置２０ａ，２０ｂに連結されている。この軸受装置によって走査ヘッド１４は支持面１６上で案内される。その際、両軸受装置２０ａ，２０ｂは支持面１６の２つのエッジ範囲１１ａ，１１ｂ内に配置されている。それによって、エッジ範囲１１ａ，１１ｂの延長形状がｚ方向において支持面１６の延長形状と一致している。エッジ範囲１１ａ，１１ｂのｚ方向にそれぞれのレベルは、支持面１６のｚ方向のレベルと一致している。読み出し中、走査ヘッド１４は図示していない駆動装置によって駆動されて記憶層１２上をｘ方向に案内される。支持面１６は好ましくはガラスで作られている。ガラスの表面は非常に滑らかに製作可能であり、それによって走査ヘッド１４のきわめて正確な案内を保証する。図１は更に、スキャナ１０によって記憶層１２の読み出しを制御する働きをする制御手段１５を示している。制御手段１５は本実施の形態では走査ヘッド１４に取付けられ、メモリ１７を含んでいる。このメモリには、読み出すために必要ないろいろな情報が記憶され、必要時に制御手段１５がアクセス可能である。第１と第２の精密キャリパス２２ａ，２２ｂについては後で詳しく述べる。その際勿論、２個の精密キャリパスの代わりに、１個のキャリパスを使用することができる。
【００１８】
　図２ａ〜２ｃは、本発明による装置の構造を示している。この装置の場合、支持面１６はｙ方向の両端側に、走査ヘッド１４を支持面１６に対して簡単に支承および案内するために、はっきりしたエッジリム２４を備えている。このエッジリム２４はｙ方向において走査ヘッド１４を案内する働きをする。図２ａは被覆キャップを取り外した後の走査ヘッド１４を示している。調節ユニット１８ａ，１８ｂは同様に取り外されており、従って図示していない。図２ｂは走査ヘッド１４を備えていない図２ａの構造体を示している。図２ｃは左側と右側の軸受装置２０ａ，２０ｂのケースカバーが取り外されている図２ｂの構造体を示している。
【００１９】
　図３ａは支承面１６を取り外した図２ｂの構造体を示している。左側と右側の軸受装置２０ａ，２０ｂは２個のウェブ２８ａ，２８ｂを介して互いに連結されている。図３ｂは図３ａの右側の軸受装置２０ｂを、図３ｃは左側の軸受装置２０ａを詳しく示している。図３ｄは左側の軸受装置２０ａを後側から見た図である。
【００２０】
　図４は図３ａの構造体の部分断面図である。この図から判るように、軸受装置２０ａ，２０ｂはｚ軸方向において協働する２個の空気軸受３０ａ，３０ｂまたは３０ｃ，３０ｄを備えている。右側の軸受装置２０ｂの空気軸受３０ａ，３０ｂは連結部３２ａを介して、そして左側の軸受装置２０ａの空気軸受３０ｃ３０ｄは連結部３２ｂを介してｚ軸方向において弾性的に相互の方に付勢されている。この付勢を生じるための力は例えば連結部３２ａ，３２ｂに作用する皿ばねによって発生させることができる。運転中空気軸受によってその都度発生する空気圧は、皿ばねによって発生する力の反力である。２個の軸受３４ａ，３４ｂはｙ方向において１個の軸受と１個のカウンタ軸受のように協働する。ｙ方向における空気軸受３４ａ，３４ｂは同様に弾性的に相互の方に付勢されている。異なる空気軸受が支持された支持面１６は、対の空気軸受によって、ペンチの間のように挟持されている。
【００２１】
　図５ａは左側の軸受装置２０ａの空気軸受３０ｃ，３０ｄ，３４ｂを、図５ｂは右側の軸受装置２０ｂの空気軸受３０ａ１，３０ａ２，３０ｂ，３４ａを一層正確に示している。使用される空気軸受の１つが代表して図６ａ〜６ｃに示してある。この場合、空気軸受は軸受装置２０ａ，２０ｂにおける組み込み個所を特定せずに、全体を参照符号３６で示してある。空気軸受３６は空気接続部３８と支承部４０を備えている。この支承部には、例えば点状の支承を行うために、円錐ねじ４２が配置されている。この円錐ねじはそれぞれの軸受装置２０ａ，２０ｂの関連するケースカバーと、支承すべき走査ヘッド１４に固定連結される。そのために、円錐ねじ４２の頭にはねじが形成されている。円錐ねじ４２の尖端部を介して点状に支承することにより、自己調節軸受が実現される。
【００２２】
　図６ｂは空気軸受３６の平面図である。空気軸受３６が図６ｂにおいて矢印４７で示した方向に回転しないようにするために、空気軸受３６には回転防止部材４４が設けられている。空気軸受３６の空気出口側は参照符号４８で示してある。空気出口側は空気流出口を備えている。空気接続部３８から軸受に供給された空気はこの空気流出口から吹き出される。
【００２３】
　図５ｂを再び参照する。上側の空気軸受３０ａ（図４参照）はｘ方向に並べて配置された２個の空気軸受３０ａ１，３０ａ２を備えている。それによって、走査ヘッド１４は空気軸受の作動中ｙ軸線回りに傾動しない。上記の回転防止部材４４はここでは、空気軸受３０ａ２のための回転防止部材４６と、空気軸受３０ａ２のための回転防止部材４９と、空気軸受３４ａのための回転防止部材５０に一致している。回転防止部材４６，４９，５０は図５ｂに示したその端部が、軸受装置２０ｂの図示していないケースカバーに固定されている。図５ａ，５ｂの円錐ねじ４２は軸受とカウンタ軸受を互いに連結した連結部材３２ａ，３２ｂを介して走査ヘッド１４に連結されている。
【００２４】
　図５ｂは更に皿ばね５１ｂを示している。この皿ばねはｚ方向において対の空気軸受３０ａ１，３０ａ２および３０ｂを付勢するための力を発生する働きをする。皿ばね５１ｂはその上側に、ねじを備えている。このねじによって、皿ばね５１ｂは軸受装置２０ｂのケースカバーに固定可能である（図３ｂ参照）。皿ばね５１ｂによって発生した力は連結板５５ｂを経て連結板５５ｂに連結された空気軸受３０ｂに伝達される。その際、連結板５５ｂはｘ方向に延びる回転軸５３ｂに連結されている。この回転軸は回転方向Ｄに沿った連結板５５ｂひいては空気軸受３０ｂの傾動を可能にする。回転軸５３ｂはその両端が軸受装置２０ｂの（図示していない）ケースに固定されている。運転中空気軸受３０ａ１，３０ａ２，３０ｂによって発生した空気圧は、皿ばね５１ｂによって発生した力の反力を形成する。それによって、軸受３０ａ１，３０ａ２，３０ｂの間にある支持面１６のペンチ状の支承が行われる。支持面１６のペンチ状の支承を保証するために、皿ばね５１ｂに一致する他の皿ばね（図示していない）と、連結板５５ａと、回転軸５３ａが軸受装置２０ａのために設けられている。
【００２５】
　図７ａ，７ｂは図１に示した精密キャリパ２２の実施の形態を示している。この精密キャリパ２２は定置されて走査ヘッド１４に連結されている。この場合、精密キャリパがｙ方向に摺動可能に配置されていると有利である。記憶層１２と走査ヘッド１４内に含まれるレシーバとの間の間隔を標準化（較正、スケーリング）するために、接触ピン５８の上面５２が接触ばね５４に接触するまで、精密キャリパ２２に連結された走査ヘッド１４はｚ1 方向、すなわち記憶層１２の方向に下降させられる。この場合、接触ピン５８の下面６０は記憶層１２に接触する。ばね５６により、接触ピン５８の下面６０に押圧力を加えないで、すなわち記憶層１２によって抵抗を生じないで、接触ピン５８の上面５２と接触ばね５４は接触することがない。このようにして行われた標準化の後で、図８に示した調節ユニット１８によって、記憶層１２と走査ヘッド１４のレシーバとの間の間隔が最適に調節される。この調節は、接触ピン５８の上面５２によって走査ヘッド１４を接触ばね５４に接触させた後で、走査ヘッド１４を最適な間隔だけ反対方向ｚ1 に後退させることによって行われる。それによって、接触ピン５８の下面６０と記憶層１２の間に間隔が生じる。最適な間隔の調節は、簡単化するために制御手段１５（図１）によって制御される。最適な間隔はその前に行われたスキャナの較正によって決定可能である。最適な間隔によって特に、記憶層１２を読み出す際の像の鮮鋭度が非常に良好になり、記憶層１２の全面にわたって均一になる。
【００２６】
　図８において、調節ユニット１８は平行に案内された２本のロッド６２ａ，６２ｂを備えている。このロッドは一方では軸受６４ａ，６４ｂを介して軸受装置２０ａ，２０ｂに連結され、他方では軸受６６ａ，６６ｂを介して走査ヘッド１４に連結されている。スピンドル６９を一体化したステップモータ６８によって、ロッド６２ａを偏向させることができる。この運動は対応する偏向としてロッド６２ｂに伝達される。それによって、記憶層１２とレシーバ、すなわち走査ヘッド１４の間隔が高精度で調節可能である。ばね７０ａ，７０ｂは調節ユニット１８をできるだけ遊びのないように付勢する。
【００２７】
　このような間隔の調節は、いろいろな記憶層について、その都度読み出しの開始前に行うことができる。この場合、読み出し中間隔が維持されるという利点がある。これは読み出し品質を改善する。というのは、いろいろな記憶層が製作条件によって特に異なる厚さを有するので、記憶層１２が異なる場合、それぞれの記憶層１２の表面と走査ヘッド１４に含まれるレシーバとの間に、異なる間隔が存在するからである。この間隔は読み出し中再調整可能であるという利点がある。これは簡単にするために制御手段１５によって達成される。特に最後に述べた方法を実現するために、走査中間隔が連続的に測定されると有利である。そのために例えば測定ホイールによる機械的な走査が適している。この測定ホイールは走査中記憶層１２の表面に対する最小の支持力によって一緒に回転し、記憶層のレベルを測定システムに伝達する。その代わりに、非接触式間隔測定方法を用いることができる。この場合しかし、それによって記憶層がビームの放出を励起されないように留意すべきである。
【００２８】
　同じ記憶層１２の繰り返される読み出しのために、その前に行われた標準化または間隔測定の結果がメモリ１７（図１参照）に記憶され、記憶層に割り当てられる。記憶層１２がカセット内に保管され、このカセットがこのようなメモリを備えていると、上記の記憶および割り当てがきわめて有利に実現可能である。カセットはその中に含まれる記憶層１２の読み出しのために本発明によるスキャナ内に挿入され、続いて記憶層１２がカセットから取り出されてスキャナに入れられる。メモリに記憶された、その前に行われた間隔測定または標準化の結果は、トランスポンダによって、記憶層から情報を読み出すための本発明による装置に簡単に伝送可能である。しかし、方法を実施した後で、その前に行われた間隔測定または標準化の結果を、スキャナのメモリ１７に記憶することもできる。割り当てられた記憶層を新たに認識した後で、支持面１６に対する走査ヘッド１４の記憶された間隔を呼出し、調節することができる。
【００２９】
　図９は空気軸受の使用によって、計算尺（スリップスティック）効果を生じないで、ｚ軸線回りの走査ヘッド１４の揺動が可能であることを示している。それによって、本発明による装置は特に、レシーバ２６の両側での駆動のためにも特に適している。
【００３０】
　本発明による装置は、記憶層１２と支持面１６が装置に動かないように取付けられている変形実施の形態にも使用可能である。本発明による装置は更に、記憶層１２、場合によっては例えばアルミニウムからなる付加的な支持層に取付けられた記憶層がその読み出しのためにのみ装置に挿入される変形実施の形態の場合にも使用可能である。
【００３１】
記憶層に割り当てられたトランスポンダを介して、記憶層のために標準化または間隔測定が行われなかったことが信号化される場合、これは本発明による読み出し装置によって自動的に開始可能である。
【図面の簡単な説明】
【００３２】
【図１】記憶層に記憶された情報を読み出すための本発明による装置の第１の実施の形態を概略的に示す斜視図である。
【図２ａ】本発明による装置の部品を徐々に分解した後の本発明による装置の第２の実施の形態を示す図である。
【図２ｂ】本発明による装置の部品を徐々に分解した後の本発明による装置の第２の実施の形態を示す図である。
【図２ｃ】本発明による装置の部品を徐々に分解した後の本発明による装置の第２の実施の形態を示す図である。
【図３ａ】レシーバの支承を示す、図２ｂに対応する図であり、図３ｂ〜３ｄから詳細が明らかである。
【図３ｂ】レシーバの支承を示す、図２ｂに対応する図であり、図３ｂ〜３ｄから詳細が明らかである。
【図３ｃ】レシーバの支承を示す、図２ｂに対応する図であり、図３ｂ〜３ｄから詳細が明らかである。
【図３ｄ】レシーバの支承を示す、図２ｂに対応する図であり、図３ｂ〜３ｄから詳細が明らかである。
【図４】図３ａの図示を部分的に切断して示す正面図である。流動床装置のへ変形例を示す図である。
【図５ａ】図３ｂの一部の詳細図である。
【図５ｂ】図３ｂの一部の詳細図である。
【図６】有利に使用される空気軸受の詳細図である。
【図７ａ】本発明による装置で有利に使用される精密キャリパの側面図である。
【図７ｂ】本発明による装置で有利に使用される精密キャリパの斜視図である。
【図８】有利に使用可能な調節ユニットの詳細図である。
【図９】空気軸受の使用によって可能であるレシーバの揺動を概略的に示す図であり、例えばｚ軸線回りの揺動が例示的に示してある。
【符号の説明】
【００３３】
　１０　　　　装置
　１１ａ，１１ｂ，１６　　案内面
　１２　　　　記憶層
　１４　　　　レシーバ
　１６　　　　支持面
　１８　　　　調節ユニット
　２０　　　　軸受
　２０ａ，２０ｂ　　案内手段
　３０ａ，３０ｂ，３０ｃ，３０ｄ　　　部分ガイド
　３０ａ１，３０ａ２　　　　　下側部分ガイド
　３６　　　　空気軸受
　４０，４２　　　連結部
　５１ｂ　　　ばね
　５３ａ，５３ｂ　　　回転軸
【図１】
2004086201.tif 000003
【図２ａ】
2004086201.tif 000004
【図２ｂ】
2004086201.tif 000005
【図２ｃ】
2004086201.tif 000006
【図３ａ】
2004086201.tif 000007
【図３ｂ】
2004086201.tif 000008
【図３ｃ】
2004086201.tif 000009
【図３ｄ】
2004086201.tif 000010
【図４】
2004086201.tif 000011
【図５ａ】
2004086201.tif 000012
【図５ｂ】
2004086201.tif 000013
【図６】
2004086201.tif 000014
【図７ａ】
2004086201.tif 000015
【図７ｂ】
2004086201.tif 000016
【図８】
2004086201.tif 000017
【図９】
2004086201.tif 000018